(57)【要約】【課題】乾燥機本体部の正面側から張込作業が行える張込装置であって、余分な設置スペースを必要とせず、かつ、安価な装置にする。【解決手段】本発明の張込装置２０は、外部スクリューコンベヤーケース２１ａに設けた穀物排出口２３を、外部搬送ケース１６に設けた穀物供給口１６ａに対して着脱自在にし、かつ、本体連結部１９との着脱連結を自在にした張込連結部２７ａを設けた回転伝達部２６によって、本体下部スクリュー１３の回転を外部搬送スクリュー軸の搬送始端部に伝達するようにしたので、外部搬送スクリュー２１ｂは前記本体下部スクリュー１３の回転によって回転駆動されるとともに、前記乾燥機本体部1ａ（穀物供給口１６ａ及び本体連結部１９）から分離可能となる。このため、常時使用する余分な設置スペースを必要とせず、かつ、専用のモータを必要としない安価な装置となる。【選択図】図５
2008025891.tif 000002
【特許請求の範囲】
【請求項１】
穀物を貯留する貯留タンク部、該貯留タンク部から流下した穀物を乾燥する乾燥部及び該乾燥部から繰り出した穀物を集穀して本体下部スクリューによって機外排出する集穀搬出部を順次重設した乾燥機本体部と、
前記本体下部スクリューの搬送終端側を形成する外部搬送ケースと、
該外部搬送ケースを介して接続した昇降機及び上部搬送部からなる穀物還流部と、
前記外部搬送ケースに設けた穀物供給口と、
前記本体下部スクリュー軸における搬送終端部に設けた連結部と、
一端側に前記穀物供給口と連通する穀物排出口を備え、かつ、他端側に供給ホッパーを備えた外部スクリューコンベヤーケースと、前記連結部を介して前記本体下部スクリューと連結し、かつ、穀物の搬送方向を前記本体下部スクリューとは逆方向にして前記外部スクリューコンベヤーケース内に横設した外部搬送スクリューとを備えてなる張込装置と、
を有する循環式穀物乾燥機の張込装置において、
前記本体下部スクリュー軸の搬送終端部は、前記外部搬送ケースから外部に突出して本体連結部が設けられる一方、前記張込装置は、前記穀物供給口との着脱を自在にした前記穀物排出口と、前記本体連結部との着脱連結を自在にした張込連結部を設けて該張込連結部を介して前記本体下部スクリューの回転を前記外部搬送スクリュー軸の搬送始端部に伝達する回転伝達部と、前記スクリューコンベヤーケースを支える脚部とを設けたことを特徴とする循環式穀物乾燥機の張込装置。
【請求項２】
前記回転伝達部は、一端側に前記張込連結部を設け、他端側に前記外部搬送スクリュー軸の搬送始端部に回転を伝達する伝動部を設けた伝動シャフトからなることを特徴とする請求項１に記載の循環式穀物乾燥機の張込装置。
【請求項３】
前記穀物供給口と前記穀物排出口の互いの周縁部には、前記両者の開口部を重合して連通した状態を保持する着脱式の保持部材を設けたことを特徴とする請求項１又は請求項２に記載の循環式穀物乾燥機の張込装置。
【請求項４】
前記脚部に脚高さ調節部を設けたことを特徴とする請求項１乃至請求項３のいずれかに記載の循環式穀物乾燥機の張込装置。
【発明の詳細な説明】
【技術分野】
【０００１】
本発明は、循環式の穀物乾燥機に係り、特に、穀物乾燥機の正面側から穀物を張込むための張込装置に関するものである。
【背景技術】
【０００２】
従来、循環式穀物乾燥機は、貯留タンク部、乾燥部及び集穀搬出部を上部から順に重設した乾燥機本体部を備えるとともに、前記集穀搬出部から排出された穀物を前記貯留タンク部に還流する昇降機等からなる還流部を備え、また、前記集穀搬出部における乾燥機本体部のいずれかの一側面に、開閉式の穀物張込ホッパーが備えてある。このような循環式穀物乾燥機を設置する場合、設置場所によっては、前記循環式穀物乾燥機の両側面側に前記穀物張込ホッパーを開くだけの開閉スペースがない場合があるので、このような設置場所に対応するために、例えば、特許文献１や特許文献２などのようにして、前記乾燥機本体部の正面側から張込み作業ができるようにした張込装置が知られている。特許文献１の張込装置は、前記集穀搬出部を構成する本体下部スクリューの搬送終端側における軸端（前記乾燥機本体部の正面側）に、搬送方向を反対にした横搬送スクリューの軸端を固定連結し、前記本体下部スクリューの回転に同期して前記横搬送スクリューが回転するようにして、穀物を、前記横搬送スクリューの搬送始端側に設けた供給ホッパーから張込んで前記昇降機の搬送始端側に供給するものである。一方、特許文献２の張込装置は、特許文献１の構成に類似したものであって、前記横搬送スクリューを回転させる専用のモータを備え、当該横搬送スクリューの搬送終端部を、前記乾燥機本体部における集穀搬出部の正面側機壁に設けた開口部に固定的に連通させて、穀物を、前記横搬送スクリューに設けた前記供給ホッパーから張込むようにしたものである。
【０００３】
【特許文献１】特開平７−２８０４４４号公報
【特許文献２】特開平９−１１３１３７号公報
【発明の開示】
【発明が解決しようとする課題】
【０００４】
ところで、上記の各張込装置には以下の問題点があった。上記各張込装置はいずれも前記乾燥機本体部の正面側から張込作業ができるものであるが、前記特許文献１のものは、常時、前記乾燥機本体部の正面側に張込装置が突出しているため、この突出部分の設置スペースが余分に必要であった。一方、前記特許文献２のものも、前述と同様に余分な設置スペースを必要とし、これに加えて、前記横搬送スクリューを回転させる専用のモータが、前記乾燥機本体部の本機モータとは別に必要なため、コストアップとなっていた。
そこで、本発明は、上記問題点にかんがみ、乾燥機本体部の正面側から張込作業が行えるものであって、余分な設置スペースを必要とせず、かつ、構成が安価な張込装置を提供することを課題とするものである。
【課題を解決するための手段】
【０００５】
上記課題を解決するため、請求項１により、
穀物を貯留する貯留タンク部、該貯留タンク部から流下した穀物を乾燥する乾燥部及び該乾燥部から繰り出した穀物を集穀して本体下部スクリューによって機外排出する集穀搬出部を順次重設した乾燥機本体部と、
前記本体下部スクリューの搬送終端側を形成する外部搬送ケースと、
該外部搬送ケースを介して接続した昇降機及び上部搬送部からなる穀物還流部と、
前記外部搬送ケースに設けた穀物供給口と、
前記本体下部スクリュー軸における搬送終端部に設けた連結部と、
一端側に前記穀物供給口と連通する穀物排出口を備え、かつ、他端側に供給ホッパーを備えた外部スクリューコンベヤーケースと、前記連結部を介して前記本体下部スクリューと連結し、かつ、穀物の搬送方向を前記本体下部スクリューとは逆方向にして前記外部スクリューコンベヤーケース内に横設した外部搬送スクリューとを備えてなる張込装置と、
を有する循環式穀物乾燥機の張込装置において、
前記本体下部スクリュー軸の搬送終端部は、前記外部搬送ケースから外部に突出して本体連結部が設けられる一方、前記張込装置は、前記穀物供給口との着脱を自在にした前記穀物排出口と、前記本体連結部との着脱連結を自在にした張込連結部を設けて該張込連結部を介して前記本体下部スクリューの回転を前記外部搬送スクリュー軸の搬送始端部に伝達する回転伝達部と、前記スクリューコンベヤーケースを支える脚部とを設けた、という技術的手段を講じた。
【０００６】
また、請求項２により、
前記回転伝達部は、一端側に前記張込連結部を設け、他端側に前記外部搬送スクリュー軸の搬送始端部に回転を伝達する伝動部を設けた伝動シャフトからなる、
という技術的手段を講じた。
【０００７】
さらに、請求項３により、
前記穀物供給口と前記穀物排出口の互いの周縁部には、前記両者の開口部を重合して連通した状態を保持する着脱式の保持部材を設けた、という技術的手段を講じた。
【０００８】
さらに、請求項４により、
前記脚部に脚高さ調節部を設けた、という技術的手段を講じた。
【発明の効果】
【０００９】
本発明の張込装置は、外部スクリューコンベヤーケースに設けた穀物排出口を、外部搬送ケースに設けた穀物供給口に対して着脱自在にし、かつ、本体連結部との着脱連結を自在にした張込連結部を設けた回転伝達部によって、本体下部スクリューの回転を外部搬送スクリュー軸の搬送始端部に伝達するようにしたので、外部搬送スクリューは前記本体下部スクリューの回転によって回転駆動されるとともに、前記乾燥機本体部（前記穀物供給口及び本体連結部）から分離可能である。このため、前記外部搬送スクリューを回転駆動させる専用のモータが必要ないので装置が安価になり、また、穀物乾燥機から分離可能なので、他の穀物乾燥機に装着して使用することができ、各穀物乾燥機の正面側に当該張込装置を常時接続しておく余分な設置スペースを必要とせず、収穫シーズンが終了したときや張込装置を使用しないときなどには、適宜邪魔にならない場所に保管できる。
【発明を実施するための最良の形態】
【００１０】
図１は本発明における循環式穀物乾燥機１の前方斜視図を示し、図２は同循環式穀物乾燥機１の後方斜視図を示し、図３は同循環式穀物乾燥機１の縦割り正面断面図を示し、図４は同循環式穀物乾燥機１の縦割り側面断面図を示す。
【００１１】
本発明における循環式穀物乾燥機１は、上部から、貯留タンク部２、乾燥部３及び集穀搬出部４を順次重設した乾燥機本体部１ａを備えるとともに、該乾燥機本体部１ａと隣接し、穀物を還流する還流部５を備える。
【００１２】
前記貯留タンク部２は、四方の機壁と天井機壁とによって囲んで構成する。
【００１３】
前記乾燥部３は、中央に熱風風胴６を横設し、該熱風風胴６の両側には穀物流下層７及び排風風胴８を順次横設する（図３）。前記穀物流下層７は任意の流下間隔幅となるように、一対の通風板７ａ，７ｂを対向させて構成する。前記熱風風胴６は、両側の前記通風板７ａと該各通風板７ａの上部に延設されて交わった各流下板6ａとによって囲まれて構成する。前記各排風風胴８は、前記通風板７ｂとこの上方に延設した流下板８ａ、前後・側面機壁及び集穀傾斜板（後述）１４とで囲んで構成する。左右の前記穀物流下層７は下端部で交わるように互いに傾斜状とし、前記下端部には繰り出しバルブ９を横設する。前記熱風風胴６の一方開口部には熱風発生装置１０を設ける。前記熱風発生装置１０は灯油燃焼式バーナーとし、図示しない燃料タンクを備える。該バーナーによって生成された熱風は前記一方開口部に供給されるようになっている。一方、前記熱風風胴６の他方端部は機壁によって閉塞する。前記各排風風胴８は、前記熱風発生装置１０を設けた側（正面側）の一側を機壁によって閉塞し、他側は排風口８ｂを設けた機壁で構成する。各排風口８ｂの外部には、当該各排風口８ｂを囲み、かつ、機壁に対して密着状に装着したファンボックス１１を構成する。該ファンボックス１１には排風ファン１２を設ける。なお、繰り出しバルブ９における一方側の軸端には、減速ギヤ等を介してバルブモータ９ａを接続して設ける。
【００１４】
前記集穀搬出部４は、前記繰り出しバルブ９の下方位置に横搬送スクリュー（以下、「本体下部スクリュー」という。）１３を横設する（図３及び図４）。該本体下部スクリュー１３の両側には、当該本体下部スクリュー１３に向かって傾斜する漏斗状の集穀傾斜板（後述）１４を配設する。前記本体下部スクリュー１３は、本機モータ１３ａの出力を受けて回転駆動するようにしてある。前記本体下部スクリュー１３における、前記前記熱風発生装置１０を設けた側（正面側）は、正面側機壁１５よりも外部に突出し、その周囲を外部搬送ケース（以下、「アウトレット」という）１６で囲んである。該アウトレット１６の一側壁には、後述する昇降機５ａの搬送始端側と連通して穀物を供給可能にした連絡通路１７を設ける。前記本体下部スクリュー１３の突出部１３ｂには羽根板１３ｄを構成し、穀物を、前記連絡通路１７内を介して昇降機５ａ側に跳ね飛ばす構成にしてある。前記本体下部スクリュー１３は軸方向両端部の各機壁にベアリング１８を配設することによって回転する。本発明における特徴部分に関して、前記突出部１３ｂにおける軸端は、前記アウトレット１６（ベアリング１８）よりも外部に突出し、その端部に、本体連結部１９を構成する。該本体連結部１９は、後述する張込装置側の張込連結部２７ａと着脱可能な構成とする。
【００１５】
前記還流部５は、前述の昇降機５ａと上部搬送スクリュー５ｂとによって構成する。前記昇降機５ａは、前記乾燥機本体部１ａに隣接して立設し、複数のバケットを装着した無端ベルトを上下に回転可能に掛け渡し、下部の搬送始端側には前記連絡通路１７が連通している。また、上部には昇降機モータ（図示ぜず）を設け、前記無端ベルトを回転させる駆動源とする。前記昇降機モータにより、昇降機５ａは、各バケットが、搬送始端側に供給された穀物を掬（すく）って上部に搬送する。前記上部搬送スクリュー５ｂは、前記昇降機５ａの搬送終端部と連通し、供給始端側に供給された穀物を飛散装置を介して前記貯留タンク部２に穀物を飛散して還流する。なお、前記上部搬送スクリュー及び飛散装置も、前記昇降機モータの回転出力の伝達を受けて回転駆動するように構成してある。
【００１６】
次に、本発明の特徴部分である、張込装置２０を説明する。該張込装置２０は、横長で密閉状の外部スクリューコンベヤーケース２１ａ内に、横設した外部搬送スクリュー２１ｂを内蔵した搬送部２１を備え、該搬送部２１の搬送始端側上部には供給ホッパー２２を接続し、また、搬送終端側下部には穀物排出口２３を設ける。前記搬送部２１の両端部には、前記供給ホッパー２２などを支える脚部２４ｃ，２４ｄを構成し、この内、前記供給ホッパー２２を設けた側の脚部２４ｃの下端部には車輪２４ａ及び車輪軸２４ｂを設けて、作業者によって、当該張込装置２０を移動することができるようにしてある。前記循環式穀物乾燥機１は、大型と小型では地面から後述のガイド１６ｃ（アウトレット１６の上面）までの高さが異なるので、前記脚部２４ｃには、脚高さ調節部３２が設けてある。該脚高さ調節部３２は、前記脚部２４ｃを上下に二分割にして形成し、下側脚部が上側脚部内に収まって高さがスライド調節できるようにしてある。この上側・下側の脚部は、脚部２４が必要な高さになる位置で、孔３２ａを利用しボルトナット３２ｂで固定し、高さ調整が行えるものである。
【００１７】
前記乾燥機本体部１ａにおけるアウトレット１６の上面には、前記穀物排出口２３と連通する穀物供給口１６ａを設け、前記穀物供給口１６ａは、前記張込装置２０を連結するときに、開閉蓋１６ｂを外して開口させるようにしてある。前記穀物供給口１６ａの周縁部に一対のガイド１６ｃを設け、該ガイド１６ｃに前記開閉蓋１６ｂの両端部を嵌合・摺動させることによって前記穀物供給口１６ａを開閉する。また、前記外部スクリューコンベヤーケース２１ａにおける、前記穀物排出口２３の両側周縁部の近傍位置には、前記ガイド１６ｃに差し込んで摺動させる差込フランジ２３ａを設け、前記穀物排出口２３と穀物供給口１６ａと連通を密着状態に保持することができるようにしてある。さらに、前記外部スクリューコンベヤーケース２１ａにおける、前記穀物排出口２３周縁部の供給ホッパー２２側の近傍位置には、ストッパー部材２３ｂを設けて、前記差込フランジ２３ａをガイド１６ｃに差し込んで摺動させた際に、前記穀物排出口２３と穀物供給口１６ａとが重合したときにストッパー部材２３ｂが前記アウトレット１６に当接して止まるようにしてある。本発明における保持部材は、前記ガイド１６ｃと差込フランジ２３ａのことである。
【００１８】
前記搬送部２１における外部搬送スクリュー２１ｂの、前記供給ホッパー２２側の軸端２１ｃには、前記本体下部スクリュー１３の回転を当該外部搬送スクリュー２１ｂに伝達する回転伝達部２６が設けてある。該回転伝達部２６は、前記搬送部２１の下方に横設し、前記本体下部スクリュー１３における本体連結部１９と連結して当該本体下部スクリュー１３の回転を受ける伝動シャフト２７を備える。該伝動シャフト２７は、前記脚部２４ｄに設けたベアリング（図示せず）と、搬送部２１の他方側の下端部に設けた、垂直板２７ｄに設けたベアリング（図示せず）とによって軸支されて回転可能にしてある。前記伝動シャフト２７の一方側（前記穀物排出口２３側）端部には、前記本体連結部１９と連結する張込連結部２７ａを設ける。該張込連結部２７ａと前記本体連結部１９とは、互いにカップリング状にして、連結させることによって本体下部スクリュー１３の回転動力がシャフト２７に伝達され、かつ、当該連結の解除ができるように着脱式にしてある。前記伝動シャフト２７における他方側（前記供給ホッパー２２側）軸端２７ｃと前記軸端２１ｃとは、それぞれプーリー２５ａ，２７ｂが軸挿され、かつ、両者を無端ベルト２８で掛け渡した伝動部２９によって連結させてある。
【００１９】
なお、前記昇降機５ａの側面には穀物水分を自動測定する水分計３０を設け、また、前記熱風発生装置１０の上部には、張込運転や乾燥運転等の実行を制御するコントロールボックス３１が設けてある。該コントロールボックス３１には張込運転ボタンや乾燥運転ボタンが設けてあり、各ボタンを押すことによって各種の運転が実行されるように実行プログラムが内蔵してある。これらのことは公知技術なので詳細説明は省略する。また、前記本体連結部１９の周囲には、安全カバー部材１３ｃを装着可能にして、本発明の張込装置２０を装着しないときなどに作業者に危害を与えないようにする。
【００２０】
以下、本発明の作用を説明する。
【００２１】
まず、本発明の張込装置２０を、乾燥機本体部１ａの正面部となる前記搬送突出部１６に対して装着する。具体的には、前記開閉蓋１６ｂを取り外して穀物供給口１６ａを開口させた後に、前記差込みフランジ２３ａを前記ガイド１６ｃに差し込み、前記ストッパー部材２３ｂが搬送突出部（機枠）１６に当接するまで摺動させて押し込む。これにより、乾燥機本体部１ａ側の穀物供給口１６ａと張込装置２０側の穀物排出口２３とが密着状態に重合状態で保持される。また、上記穀物供給口１６ａ及び穀物排出口２３の装着（重合）に伴って、乾燥機本体部１ａ側の前記連結部材１９と張込装置２０の前記張込連結部２７ａとも連結する。なお、接合前に、前記連結部材１９と張込連結部２７ａとがスムーズに噛み合うように、各カップリングの突出形状は調整しておくとよい。以上で、張込装置２０の乾燥機本体部１ａへの連結（装着）作業は終了である。
【００２２】
次に、環式穀物乾燥機１の張込運転を開始するため、前記コントロールボックス３１の張込運転ボタンを押す。該張込運転ボタンを押すと、前記コントロールボックス３１内の制御部が張込運転プログラムの実行を開始し、前記本機モータ１３ａの駆動を開始させて前記本体下部スクリュー１３が回転駆動する。また、前記昇降機モータも駆動が開始され、これを受けて前記昇降機５ａ、上部搬送スクリュー５ｂ及び拡散装置も駆動を開始する。
【００２３】
前記本体下部スクリュー１３が回転駆動すると、この回転は、前記本体連結部１９から前記張込連結部２７ａに伝動され、さらに、伝動シャフト２７と伝動部２９とを介して前記搬送部２１に内蔵された外部搬送スクリュー２１ｂに伝動され、該外部搬送スクリュー２１ｂの回転駆動が開始される。この状態にした後、穀物を前記供給ホッパー２２に任意の搬送装置（バネ式の搬送装置など）を使って投入する。前記供給ホッパー２２に投入された穀物は、前記外部搬送スクリュー２１ｂによって搬送されて穀物排出口２３から穀物供給口１６ａに供給される。そして、該穀物供給口１６ａに供給された穀物は、本体下部スクリュー１３における前記羽根板１３ｄの回転作用により、前記連絡通路１７を介して昇降機５ａの搬送始端側に供給される。次いで、昇降機５ａの搬送始端側に供給された穀物は、各バケットに掬われて上部に搬送された後、前記上部搬送スクリュー５ｂと飛散装置を介して前記貯留タンク部２に張込まれる。
【００２４】
前記貯留タンク部２に穀物の張込が終了すると、前記コントロールボックス３１の停止ボタンを押し、この後、乾燥運転ボタンを押して乾燥運転を開始する。この乾燥運転は公知の乾燥運転であり、ここでの説明は省略する。なお、張込運転が終了すると、前記張込装置２０は前記アウトレット１６から切り離し、穀物供給口１６ａを前記開閉蓋１６ｂで閉じるとともに、前記本体連結部１９を隠す安全カバー１３ｃを装着する。
【００２５】
以上のように本発明の張込装置２０は、穀物排出口２３を環式穀物乾燥機１の本体下部スクリュー１３におけるアウトレット１６の穀物供給口１６ａに接続し、前記搬送部２１における外部搬送スクリュー２１ｂは前記回転伝達部２６によって前記本体下部スクリュー１３の回転動力を受けて回転するので、専用の駆動モータを必要としないで、環式穀物乾燥機の正面側から張込作業が行える。また、張込装置２０における前記穀物排出口２３及び回転伝達部２６は、環式穀物乾燥機１側に対して着脱自在であるため、張込装置２０を取り外してその他の環式穀物乾燥機１に装着して張込作業をすることができるため、常時、張込装置２０の設置しておくスペースが必要にならない。さらに、張込装置２０は、収穫のシーズンが終了すれば、適宜邪魔にならない場所に移動して保管することもできる。
【００２６】
なお、上記実施例では、穀物排出口２３ｂ（張込装置側）と穀物供給口１６ａ（環式穀物乾燥機側）を直接重合した例を示したが、これに限ることなく、ジャバラホースなどを用いて両者間を連通するようにしてもよい。また、上記供給ホッパー２２の開口部については、搬送部２１の長手方向に延長拡大したものであってもよい。
【図面の簡単な説明】
【００２７】
【図１】本発明における循環式穀物乾燥機の前方斜視図
【図２】同循環式穀物乾燥機の後方斜視図
【図３】同循環式穀物乾燥機の縦割り正面断面図
【図４】同循環式穀物乾燥機の縦割り側面断面図
【図５】本発明の張込装置の斜視図（循環式穀物乾燥機への装着前）
【図６】本発明の張込装置の斜視図（循環式穀物乾燥機への装着後）
【図７】本発明の張込装置の単体斜視図
【符号の説明】
【００２８】
１  循環式穀物乾燥機
１ａ  乾燥機本体部
２  貯留タンク部
３  乾燥部
４  穀粒搬出部
５  還流部
５ａ  昇降機
５ｂ  上部搬送スクリュー
６  熱風風胴
６ａ  流下板
７  穀物流下層
７ａ  通風板
７ｂ  通風板
８  排風風胴
８ａ  流下板
８ｂ  排風口
９  繰り出しバルブ
９ａ  バルブモータ
１０  熱風発生装置
１１  ファンボックス
１２  排風ファン
１３  本体下部スクリュー
１３ａ  本機モータ
１３ｂ  突出部
１３ｃ  安全カバー
１３ｄ  羽根板
１４  集穀傾斜板
１５  正面側機壁
１６  アウトレット（外部搬送ケース）
１６ａ  穀物供給口
１６ｂ  開閉蓋
１６ｃ  ガイド
１７  連絡通路
１８  ベアリング
１９  本体連結部
２０  張込装置
２１  搬送部
２１ａ  スクリューコンベヤーケース
２１ｂ  外部搬送スクリュー
２１ｃ  軸端
２２  供給ホッパー
２３  穀物排出口
２３ａ  差込みフランジ
２３ｂ  ストッパー部材
２４ａ  車輪
２４ｂ  車輪軸
２４ｃ  脚部
２４ｄ  脚部
２５ａ  プーリー
２６  回転伝達部
２７  伝動シャフト
２７ａ  張込連結部
２７ｂ  プーリー
２７ｃ  軸端
２７ｄ  垂直板
２８  無端ベルト
２９  伝動部
３０  水分計
３１  コントロールボックス
３２  脚高さ調節部
【図１】
2008025891.tif 000003
【図２】
2008025891.tif 000004
【図３】
2008025891.tif 000005
【図４】
2008025891.tif 000006
【図５】
2008025891.tif 000007
【図６】
2008025891.tif 000008
【図７】
2008025891.tif 000009